(57)【特許請求の範囲】
【請求項１】
使用者の手指により保持される軸筒が、
軸心方向に沿って伸長する後部と、
前記後部の前方に連なり軸心方向に沿って伸長し、その外周面における使用者の手指が接する部位に、平坦面または略平坦面状の凸曲面であって軸心方向に対し平行または略平行に拡張した唯一の平坦面領域が形成され、その他の部位が当該平坦面領域よりも曲率の大きい曲面領域となっている前部と、
前記前部の前方に連なり先細りのテーパ状をなし、筆記用の筆先を突出させる先端部とを備えており、
前記前部の外周面の曲面領域における平坦面領域に接続する部分が、前記後部の外周面よりも外方に膨出しており、
後部の外周面が全体的に円筒状をなしている筆記具。
【請求項２】
前記前部の外周面における平坦面領域と前記先端部の外周面とが凸曲面状に連続している請求項１記載の筆記具。
【請求項３】
前記前部の外周面における曲面領域が、前記平坦面領域に接続する部分を除いて、前記後部の外周面と略面一である請求項１または２記載の筆記具。
【請求項４】
側面視前記前部の外周面における平坦面領域の輪郭と前記後部の外周面の輪郭とが同一直線状または略同一直線状をなす請求項１、２または３記載の筆記具。
【発明の詳細な説明】
【技術分野】
【０００１】
本発明は、筆記を行うための機能を具現する筆記芯を軸筒に収容してなる筆記具に関する。
【背景技術】
【０００２】
この種の筆記具の代表例として、ボールペンやシャープペンシルが周知である。ボールペンは、インキを充填した容器の先端部位にインキを紙等に転写するためのボールを包有する筆記機構部を取り付けたリフィルを筆記芯として軸筒に収容したもので、その筆記機構部が軸筒の先端部から突出する。シャープペンシルでは、筆記芯である鉛筆芯を繰り出すための機構を軸筒内に内蔵している。
【０００３】
使用者の手指によって保持される軸筒の外周面の形状は、円筒状であることが多いが、昔ながらの鉛筆のように断面視六角形状をなすものや、断面視三角形状をなすものも存在する（例えば、下記非特許文献１を参照）。また、円筒状の外形をなした軸筒の所定部位に、当該軸筒の軸心に向かって凹んだ凹陥を形成しているものもある（例えば、下記特許文献１を参照）。
【先行技術文献】
【特許文献】
【０００４】
【特許文献１】特開２００５−１３８４２０号公報
【非特許文献】
【０００５】
【非特許文献１】“ボールペン／シャープペンシル／鉛筆シャープ”，コクヨ総合カタログ２０１５年版ステーショナリー編，コクヨ株式会社，平成２６年１２月，ｐ．５３９−５４５
【発明の概要】
【発明が解決しようとする課題】
【０００６】
本発明は、使用者が徒に手指に力を込めずとも軸筒の向きや姿勢が安定して筆記を行いやすい筆記具を提供しようとするものである。
【課題を解決するための手段】
【０００７】
本発明では、使用者の手指により保持される軸筒が、軸心方向に沿って伸長する後部と、前記後部の前方に連なり軸心方向に沿って伸長し、その外周面における使用者の手指が接する部位に、平坦面または略平坦面状の凸曲面であって軸心方向に対し平行または略平行に拡張した唯一の平坦面領域が形成され、その他の部位が当該平坦面領域よりも曲率の大きい曲面領域となっている前部と、前記前部の前方に連なり先細りのテーパ状をなし、筆記用の筆先を突出させる先端部とを備えており、前記前部の外周面の曲面領域における平坦面領域に接続する部分が、前記後部の外周面よりも外方に膨出しており、後部の外周面が全体的に円筒状をなしている筆記具を構成した。
【０００８】
前記前部の外周面における平坦面領域と前記先端部の外周面とは、凸曲面状に連続していることが好ましい。
【０００９】
そして、前記前部の外周面における曲面領域を、前記平坦面領域に接続する部分を除き、前記後部の外周面と略面一とすることも許される。この場合、軸筒における後部から前部までが一貫して連続している外観を作出することができ、筆記具としての格調、美観を高めることができる。
【００１０】
あるいは、前記前部の外周面における曲面領域が前記後部の外周面よりも外方に膨出しているものとすれば、軸筒の後部の外径の大きさにかかわらず、前部の外径を使用者の手指になじむ最適な大きさに設計することが容易となる。換言すれば、前部を後部よりも太くすることができる。
【００１１】
側面視前記前部の外周面における平坦面領域の輪郭と前記後部の外周面の輪郭とが同一直線状または略同一直線状をなしていれば、前部の平坦面領域が後部の外周面に対して大きく凹まない、逆に言えば後部の外周面が前部の平坦面領域よりも大きく張り出さないことにより、使用者が軸筒を自然に持ちやすくなる上、軸筒の後部による、使用者の人差し指の付け根部分に対する圧迫が小さくなる。
【発明の効果】
【００１２】
本発明によれば、使用者が手指に徒に力を込めずとも軸筒の向きや姿勢が安定して筆記を行いやすい筆記具を実現できる。
【図面の簡単な説明】
【００１３】
【図１】本発明の第一実施形態の筆記具の斜視図。
【図２】同実施形態の筆記具の平面図。
【図３】同実施形態の筆記具の側面図。
【図４】同実施形態の筆記具の正面図。
【図５】同実施形態の筆記具のＡ−Ａ線断面図。
【図６】同実施形態の筆記具のＢ−Ｂ線断面図。
【図７】本発明の第二実施形態の筆記具の斜視図。
【図８】同実施形態の筆記具の平面図。
【図９】同実施形態の筆記具の側面図。
【図１０】同実施形態の筆記具の正面図。
【図１１】同実施形態の筆記具のＣ−Ｃ線断面図。
【図１２】同実施形態の筆記具のＤ−Ｄ線断面図。
【図１３】本発明に係る筆記具の使用状態を示す図。
【発明を実施するための形態】
【００１４】
＜第一実施形態＞本発明の実施の形態を、図面を参照して説明する。図１ないし図６に示す本実施形態の筆記具は、後端ノック式のボールペンである。本筆記具は、筆記を行うための機能を具現する筆記芯と、使用者が筆記を行う際に使用者の手指によって保持される軸筒１と、軸筒１の後端側に配したノック棒３がノック操作されることで筆先２即ち筆記芯の先端部位を軸筒１の前端（先端）側から突没させるノック機構とを具備する。軸筒１は、それら筆記芯及びノック機構を内部に収容する。
【００１５】
筆記芯は、インキを充填した容器の先端部位に、インキを紙等に転写するためのボールを包有する筆記機構部２を取り付けたリフィルである。ノック機構は、ノック棒３の押下を受けて筆先である筆記機構部２を軸筒１から突出させるとともに、ノック棒３の再度の押下を受けて軸筒１から突出していた筆記機構部２を軸筒１内に没入させる、従来より周知のカーン式ノック機構である。
【００１６】
軸筒１は、それぞれが内部に筆記芯を挿通できるよう軸心Ｌ方向に沿って延伸した中空筒状の後軸１１及び前軸１２を要素とする。後軸１１の前端部と前軸１２の後端部とのうち一方には雄ねじを設け、他方には雌ねじ孔を設けており、その雄ねじを雌ねじ孔に螺着することで後軸１１と前軸１２とを結合し、一体の軸筒１を構成する。前軸１２は、筒状の基体１２１の外周に、使用者の手指と直に接触する外装体１２２を被せたものである。なお、基体１２１と外装体１２２とを、二色成形により一時に成形することも可能である。
【００１７】
本実施形態における筆記具の軸筒１は、軸心Ｌ方向に沿って伸長する後部１３と、後部１３の前方に連なり軸心Ｌ方向に沿って伸長する前部１４と、前部１４の前方に連なり前方に向かうにつれて径が小さくなる先細りのテーパ状の先端部１５とを有している。後部１３の大半は後軸１１により形作られるが、後部１３の前端部分、前部１４及び先端部１５は前軸１２により形作られている。筆記芯の筆記機構部２は、その先端部１５から突出する。
【００１８】
後部１３の外周面は、全体的に円筒状をなしている。これに対し、前部１４の外周面には、単一の平坦面領域１４１と、平坦面領域１４１以外の領域である曲面領域１４２とが存在している。平坦面領域１４１は、前部１４の外周面における、使用者の手指が接する部位にあって、軸心Ｌ方向に対し平行または略平行に拡張した略平坦面状をなす。特に、図５のＡ−Ａ線断面図に示すように、本実施形態では、平坦面領域１４１が完全な平坦面ではなく、外方（軸筒１（または、筆記具）の軸心Ｌから離反する方向）に向かって僅かに膨出した凸曲面となっている。凸曲面とは、当該曲面上の任意の二点を当該曲面に沿って最短経路で結ぶ線分が、それら二点を結ぶ直線よりも外方にあるかそのような直線に等しいような曲面をいう。要するに、凸曲面とは、軸筒１の軸心Ｌに向かって凹んだ凹陥の存在しない曲面のことである。尤も、平坦面領域１４１を、完全な平坦面に成形しても構わない。
【００１９】
前部１４の外周面の平坦面領域１４１は、切頭円錐状をなす先端部１５の外周面とともに凸曲面をなすように連続しており、平坦面領域１４１と先端部１５の外周面との境界部分には軸筒１の軸心Ｌに向かって凹む凹陥が存在していない。付言すれば、図３に示す側面視（図２に示すように平坦面領域１４１が最も大きく見える平面視の方向に対して直交する側方から見た状態）において、平坦面領域１４１の輪郭１４１ａと先端部１５の外周面の輪郭１５ａとが凸曲線をなすように連続している。凸曲線とは、当該曲線上の任意の二点を結ぶ当該曲線の部分が、それら二点を結ぶ直線よりも外方にあるかそのような直線に等しいような曲線をいう。
【００２０】
加えて、図３に示す側面視において、前部１４の外周面の平坦面領域１４１の輪郭１４１ａが、軸心Ｌ方向に対して平行または略平行な直線または略直線状の凸曲線をなしている。即ち、この輪郭線１４１ａ上の任意の二点を当該輪郭線１４１ａに沿って最短経路で結ぶ線分は、それら二点を結ぶ直線よりも外方にあるかそのような直線に等しい。つまり、平坦面領域１４１は、その内部に軸筒１の軸心Ｌに向かって凹んだ凹陥を含んでいない。さらには、前部１４の外周面の平坦面領域１４１の輪郭１４１ａと後部１３の外周面の輪郭１３ａとが略一直線状をなしており、前者と後者との段差が僅少となっている。図示例では、前部１４の外周面の平坦面領域１４１の輪郭１４１ａが、後部１３の外周面の輪郭１３ａよりも極僅かに内方（軸筒１の軸心Ｌに近い側）に位置しているが、これは図２に示す平面視において平坦面領域１４１の長円状の周縁を美しい形とするためである。尤も、側面視において前部１４の外周面の平坦面領域１４１の輪郭１４１ａと後部１３の外周面の輪郭１３ａとが完全に一直線状をなすように、平坦面領域１４１及び後部１３の外周面を成形しても構わない。
【００２１】
前部１４の外周面の曲面領域１４２は、平坦面領域１４１よりも曲率の大きい曲面となっている。その上で、図６のＢ−Ｂ線断面図に示すように、この曲面領域１４２が、平坦面領域１４１に接続する部分１４２ａを除いて、後部１３の外周面と略面一となっている。即ち、曲面領域１４２は、接続部分１４２ａを除き、その外径が後部１３の外周面の外径に等しい、後部１３の外周面と連続した部分円筒面である。翻って、曲面領域１４２における、平面視領域に接続する部分１４２ａは、後部１３の外周面よりも外方に膨出している。これは、軸筒１の前部１４の太さを後部１３の太さに揃えながら、平坦面領域１４１の幅寸法を拡大するための形状である。また、図５に示しているように、軸筒１の軸心Ｌに対して直交する切断面と曲面領域１４２との交線（断面視において曲面領域１４２の外周面に相当する輪郭）は、上記の接続部分１４２ａを除いて真円弧状をなす。
【００２２】
本実施形態では、使用者の手指により保持される軸筒１が、軸心Ｌ方向に沿って伸長する後部１３と、前記後部１３の前方に連なり軸心Ｌ方向に沿って伸長し、その外周面における使用者の手指が接する部位に、平坦面または略平坦面状の凸曲面であって軸心Ｌ方向に対し平行または略平行に拡張した唯一の平坦面領域１４１が形成され、その他の部位が当該平坦面領域１４１よりも曲率の大きい曲面領域１４２となっている前部１４と、前記前部１４の前方に連なり先細りのテーパ状をなし、筆記用の筆先２を突出させる先端部１５とを備えている筆記具を構成した。
【００２３】
本実施形態によれば、図１３の（ａ）ないし（ｃ）に示すように、筆記具を保持する使用者の親指、人差し指または中指の何れかが軸筒１の前部１４の平坦面領域１４１に面接触してフィットし、残りの二本の指が曲面領域１４２に接する状態となる。結果、使用者が手指に力を込めずとも、軸筒１の使用者の手指に対する相対的な向きや姿勢が安定し、軽い力でこれを保持して筆記を行うことが可能となる。それでいて、断面視六角形状をなす昔ながらの鉛筆のように、複数の平坦面が交わる稜線（エッジ）の部分が指に食い込むような尖った感触を使用者の手指に与えにくく、快適な筆記を実現できる。
【００２４】
軸筒１を軽い力で安定して保持できることは、筆記の際の筆圧を小さくすることにつながり、使用者の手指や腕の疲労の軽減に寄与し得る。しかも、筆記具のリフィルに充填しているインクが比較的低粘度のもの（例えば、水性ゲルインクや低粘度油性インク）である場合、そのようなインク本来の書き心地と相まって、非常にスムーズに筆記を行うことが可能となる。逆に、低粘度のインクを充填している筆記具において、使用者が徒に手指に力を込めて軸筒１を挟持して筆圧が増大すると、却って筆記の滑らかさが損なわれる懸念があるが、本実施形態の軸筒１を採用することにより、不必要な筆圧の増大が抑制され、筆記の滑らかさが維持されることを期待できる。
【００２５】
前記前部１４の外周面における平坦面領域１４１と前記先端部１５の外周面とは凸曲面状に連続しており、平坦面領域１４１と先端部１５の外周面との境界部分に凹みが存在しないため、軸筒１の先端部１５に近い部位を持つ使用者にとって、手指で軸筒１を把持する位置を違和感なく柔軟に変更可能となる。従って、個人差に対応できる利便性の高い筆記具となる。
【００２６】
前記前部１４の外周面における曲面領域１４２を、前記平坦面領域１４１に接続する部分１４２ａを除き、前記後部１３の外周面と略面一としていることから、軸筒１における後部１３から前部１４までが一貫して直線的に連続している外観を作出することができ、筆記具としての格調、美観を高めることができる。
【００２７】
さらに、側面視前記前部１４の外周面における平坦面領域１４１の輪郭１４１ａと前記後部１３の外周面の輪郭１３ａとが同一直線状または略同一直線状をなしているため、前部１４の平坦面領域１４１が後部１３の外周面に対して大きく凹まない、逆に言えば後部１３の外周面が前部１４の平坦面領域１４１よりも大きく張り出さないことにより、使用者が軸筒１を自然に持ちやすくなる上、軸筒１の後部１３による、使用者の人差し指の付け根部分に対する圧迫が小さくなる。
【００２８】
＜第二実施形態＞次に説明する第二実施形態は、軸筒１の前部１４の外形を第一実施形態から変更したものである。以降、本実施形態特有の構成に関して述べる。筆記芯やノック機構等については、上記第一実施形態（さらには、既存の筆記具）と同様に構成することができるため、ここでは説明を割愛する。
【００２９】
本実施形態の筆記具は、第一実施形態と同様の、ノック式のボールペンである。本筆記具の軸筒１もまた、軸心Ｌ方向に沿って伸長する後部１３と、後部１３の前方に連なり軸心Ｌ方向に沿って伸長する前部１４と、前部１４の前方に連なり前方に向かうにつれて径が小さくなる先細りのテーパ状の先端部１５とを有している。後部１３の大半は後軸１１により形作られるが、後部１３の前端部分、前部１４及び先端部１５は前軸１２により形作られている。筆記芯の筆先である筆記機構部２は、その先端部１５から突出する。
【００３０】
後部１３の外周面は、全体的に円筒状をなしている。これに対し、前部１４の外周面には、単一の平坦面領域１４１と、平坦面領域１４１以外の領域である曲面領域１４２とが存在している。平坦面領域１４１は、前部１４の外周面における、使用者の手指が接する部位にあって、軸心Ｌ方向に対し平行または略平行に拡張した略平坦面状をなす。特に、図１１のＣ−Ｃ線断面図に示すように、平坦面領域１４１は完全な平坦面ではなく、外方に向かって僅かに膨出した凸曲面となっている。尤も、平坦面領域１４１を、完全な平坦面に成形しても構わない。
【００３１】
前部１４の外周面の平坦面領域１４１は、切頭円錐状をなす先端部１５の外周面とともに凸曲面をなすように連続しており、平坦面領域１４１と先端部１５の外周面との境界部分には軸筒１の軸心Ｌに向かって凹む凹陥が存在していない。付言すれば、図９に示す側面視において、平坦面領域１４１の輪郭１４１ａと先端部１５の外周面の輪郭１５ａとが凸曲線をなすように連続している。
【００３２】
加えて、図９に示す側面視において、前部１４の外周面の平坦面領域１４１の輪郭１４１ａが、軸心Ｌ方向に対して平行または略平行な直線または略直線状の凸曲線をなしている。即ち、この輪郭線１４１ａ上の任意の二点を当該輪郭線１４１ａに沿って最短経路で結ぶ線分は、それら二点を結ぶ直線よりも外方にあるかそのような直線に等しい。つまり、平坦面領域１４１は、その内部に軸筒１の軸心Ｌに向かって凹んだ凹陥を含んでいない。さらには、前部１４の外周面の平坦面領域１４１の輪郭１４１ａと後部１３の外周面の輪郭１３ａとは略一直線状をなしており、前者と後者との段差が僅少となっている。図示例では、前部１４の外周面の平坦面領域１４１の輪郭１４１ａが、後部１３の外周面の輪郭１３ａよりも極僅かに内方に位置しているが、これは図８に示す平面視において平坦面領域１４１の長円状の周縁を美しい形とするためである。尤も、側面視において前部１４の外周面の平坦面領域１４１の輪郭１４１ａと後部１３の外周面の輪郭１３ａとが完全に一直線状をなすように、平坦面領域１４１及び後部１３の外周面を成形しても構わない。
【００３３】
前部１４の外周面の曲面領域１４２は、平坦面領域１４１よりも曲率の大きい曲面となっている。その上で、図１２のＤ−Ｄ線断面図に示すように、この曲面領域１４２は後部１３の外周面よりも外方に膨出しており、先端部１５に連なる前端部分を除いて、曲面領域１４２の外径が後部１３の外周面の外径よりも大きくなっている。より具体的には、後部１３の外周面に連なる後端から前方に向かうにつれて曲面領域１４２の径が徐々に太くなり、その中途で最大径となる。しかる後、先端部１５に近づくほど曲面領域１４２の径が細くなってゆき、曲面領域１４２の前端においてその径が先端部１５の後端の径に等しくなる。また、図１１に示しているように、軸筒１（または、筆記具）の軸心Ｌに対して直交する切断面と曲面領域１４２との交線（断面視において曲面領域１４２の外周面に相当する輪郭）は、真円弧状をなす。
【００３４】
本実施形態では、使用者の手指により保持される軸筒１が、軸心Ｌ方向に沿って伸長する後部１３と、前記後部１３の前方に連なり軸心Ｌ方向に沿って伸長し、その外周面における使用者の手指が接する部位に、平坦面または略平坦面状の凸曲面であって軸心Ｌ方向に対し平行または略平行に拡張した唯一の平坦面領域１４１が形成され、その他の部位が当該平坦面領域１４１よりも曲率の大きい曲面領域１４２となっている前部１４と、前記前部１４の前方に連なり先細りのテーパ状をなし、筆記用の筆先２を突出させる先端部１５とを備えている筆記具を構成した。
【００３５】
本実施形態によれば、図１３の（ａ）ないし（ｃ）に示すように、筆記具を保持する使用者の親指、人差し指または中指の何れかが軸筒１の前部１４の平坦面領域１４１に面接触してフィットし、残りの二本の指が曲面領域１４２に接する状態となる。結果、使用者が手指に力を込めずとも、軸筒１の使用者の手指に対する相対的な向きや姿勢が安定し、軽い力でこれを保持して筆記を行うことが可能となる。それでいて、断面視六角形状をなす昔ながらの鉛筆のように、複数の平坦面が交わる稜線（エッジ）の部分が指に食い込むような尖った感触を使用者の手指に与えにくく、快適な筆記を実現できる。
【００３６】
軸筒１を軽い力で安定して保持できることは、筆記の際の筆圧を小さくすることにつながり、使用者の手指や腕の疲労の軽減に寄与し得る。しかも、筆記具のリフィルに充填しているインクが比較的低粘度のものである場合、そのようなインク本来の書き心地と相まって、非常にスムーズに筆記を行うことが可能となる。逆に、低粘度のインクを充填している筆記具において、使用者が徒に手指に力を込めて軸筒１を挟持して筆圧が増大すると、却って筆記の滑らかさが損なわれる懸念があるが、本実施形態の軸筒１を採用することにより、不必要な筆圧の増大が抑制され、筆記の滑らかさが維持されることを期待できる。
【００３７】
前記前部１４の外周面における平坦面領域１４１と前記先端部１５の外周面とは凸曲面状に連続しており、平坦面領域１４１と先端部１５の外周面との境界部分に凹みが存在しないため、軸筒１の先端部１５に近い部位を持つ使用者にとって、手指で軸筒１を把持する位置を違和感なく柔軟に変更可能となる。従って、個人差に対応できる利便性の高い筆記具となる。
【００３８】
前記前部１４の外周面における曲面領域１４２が前記後部１３の外周面よりも外方に膨出していることから、軸筒１の後部１３の外径の大きさにかかわらず、前部１４の外径を使用者の手指になじむ最適な大きさに設計することが容易となるだけでなく、筆記具の外観デザインを斬新なものとすることも可能となる。
【００３９】
さらに、側面視前記前部１４の外周面における平坦面領域１４１の輪郭１４１ａと前記後部１３の外周面の輪郭１３ａとが同一直線状または略同一直線状をなしているため、前部１４の平坦面領域１４１が後部１３の外周面に対して大きく凹まない、逆に言えば後部１３の外周面が前部１４の平坦面領域１４１よりも大きく張り出さないことにより、使用者が軸筒１を自然に持ちやすくなる上、軸筒１の後部１３による、使用者の人差し指の付け根部分に対する圧迫が小さくなる。
【００４０】
なお、本発明は以上に詳述した実施形態に限られるものではない。例えば、筆記具の態様はボールペンには限定されない。換言すれば、筆記芯はボールペンのリフィルであるとは限らない。筆記具がボールペン以外の種類のペン（例えば、サインペン等）である場合も、筆記芯は、インキを充填した容器の先端部位に、インキを紙等に転写するための機構が設けられたものとなり、その機構が筆先となる。あるいは、筆記具がシャープペンシルである場合には、筆記芯が鉛筆芯であり、筆記芯を繰り出して軸筒の先端部から突出させるための機構を筆記芯とともに軸筒に収容することになる。
【００４１】
また、軸筒の前部の外表面における平坦面領域及び／または曲面領域に、使用者の指の太さや指の節の大きさと比べて顕著に微細な、幅や径が１ｍｍ以下の凹凸、溝、穴等を設けることを妨げない。
【００４２】
その他各部の具体的構成は、本発明の趣旨を逸脱しない範囲で種々変形が可能である。
【産業上の利用可能性】
【００４３】
本発明は、筆記を行うための機能を具現する筆記芯を軸筒に収容してなる筆記具に適用できる。
【符号の説明】
【００４４】
１…軸筒
１３…後部
１３…側面視における後部の輪郭
１４…前部
１４１…平坦面領域
１４１ａ…側面視における平坦面領域の輪郭
１４２…曲線領域
１４２ａ…平坦面領域に接続する部分
１５…先端部
２…筆先
Ｌ…軸心
【図１】
0006657886.tif 000002
【図２】
0006657886.tif 000003
【図３】
0006657886.tif 000004
【図４】
0006657886.tif 000005
【図５】
0006657886.tif 000006
【図６】
0006657886.tif 000007
【図７】
0006657886.tif 000008
【図８】
0006657886.tif 000009
【図９】
0006657886.tif 000010
【図１０】
0006657886.tif 000011
【図１１】
0006657886.tif 000012
【図１２】
0006657886.tif 000013
【図１３】
0006657886.tif 000014